(57)【特許請求の範囲】
【請求項１】
浴槽の側壁の外面に取付けられる筒状の外部筒体と、側壁の内側から該側壁の取付孔を介して外部筒体に組付けられる筒状の内部筒体とを備え、前記外部筒体は往き側流路と戻り側流路を区画形成する外筒部と内筒部とを有するとともに、外筒部には雌ねじ部を有し、内部筒体には前記外部筒体の雌ねじ部に螺合される雄ねじ部を有する外筒と外部筒体の内筒部に接続される内筒とを有する浴槽用循環具を浴槽の側壁に取付けるための浴槽用循環具の施工治具であって、
施工治具本体の一端部には浴槽の側壁の外側で外部筒体の内筒部に係合される係合部を設けるとともに、浴槽の側壁の内側で施工治具本体が内部筒体の外筒に挿入されたとき外筒に嵌合するガイド部を設け、
前記係合部が外部筒体の内筒部に係合された状態で内部筒体の外筒が外部筒体の外筒部に螺入し続けられたとき、当該施工治具を用いた内部筒体と外部筒体との螺合領域の終点位置として内部筒体の内周面に設けられた回り止め突起と前記ガイド部とが係合することによって螺入が規制されることを特徴とする浴槽用循環具の施工治具。
【請求項２】
前記施工治具本体の他端部には前記係合部が外部筒体の内筒部に係合された状態で浴槽の側壁の取付孔に係止される係止部を設けたことを特徴とする請求項１に記載の浴槽用循環具の施工治具。
【請求項３】
前記ガイド部は、内部筒体の外筒が外部筒体の外筒部に挿入されたとき内部筒体の外筒の軸線方向に延びるように構成されていることを特徴とする請求項１又は請求項２に記載の浴槽用循環具の施工治具。
【請求項４】
前記ガイド部は、内部筒体の外筒が外部筒体の外筒部に挿入されたとき内部筒体の外筒の軸線方向と直交する方向に延びるように構成されていることを特徴とする請求項１から請求項３のいずれか一項に記載の浴槽用循環具の施工治具。
【請求項５】
前記施工治具は内部筒体より機械的強度の低い熱可塑性樹脂で形成されていることを特徴とする請求項１から請求項４のいずれか一項に記載の浴槽用循環具の施工治具。
【請求項６】
前記施工治具本体は板状に形成されており、前記ガイド部は、前記回り止め突起によって外部筒体に対する内部筒体の螺入が規制された際に前記施工治具本体が周方向に回動されることによって前記回り止め突起との係合が解除されるように構成されていることを特徴とする請求項１から請求項５のいずれか一項に記載の浴槽用循環具の施工治具。
【発明の詳細な説明】
【技術分野】
【０００１】
本発明は、浴槽の側壁外面に配置される外部筒体と、側壁内面に配置され側壁の取付孔を介して外部筒体に組付けられる内部筒体とにより構成された浴槽用循環具を浴槽の側壁に取付けるための施工治具に関する。
【背景技術】
【０００２】
この種の浴槽用循環具は、浴槽の側壁外面に位置する外部筒体が浴槽の側壁の取付孔を介して内部筒体に締付けられて側壁に固定されるようになっている。外部筒体には一対の継手が配設され、一方の継手が給湯器からの加熱水を浴槽内へ供給する往き側配管に接続され、他方の継手が浴槽水を給湯器へ戻す戻り側配管に接続されている。そして、浴槽水は内部筒体の吸入用流路から戻り側配管を通って給湯器へ戻され、給湯器で加熱された加熱水が往き側配管から内部筒体の吐出用流路を流れて浴槽内へ吐出されるように構成されている。このように構成された浴槽用循環具は、一人の作業者でも施工治具を使用して浴槽の側壁に取付けることができるようになっている。
【０００３】
斯かる施工治具として具体的には、浴槽循環口金具取付用治具が特許文献１に開示されている。すなわち、この取付用治具は、外側金具の内筒内の給湯口又は戻湯口の入口凹みに係止される突起部と、係止した外側金具を浴槽開口部に引掛ける鍔と、先端に前記突起部、中間部に前記鍔を設けたパイプ状の胴部とを備えている。そして、突起部を外側金具の内筒の入口凹みに係止した後、浴槽の外側から外側金具を浴槽開口部に鍔を介して引掛けておき、浴槽の内側から前記胴部に内側金具を外嵌し、外側金具に螺入することにより、一人の作業者が浴槽循環口金具を浴槽に取付けできるように構成されている。
【先行技術文献】
【特許文献】
【０００４】
【特許文献１】特開２０１０−２００８７４号公報
【発明の概要】
【発明が解決しようとする課題】
【０００５】
ところで、浴槽の側壁に貫通されている浴槽開口部は側壁の下部に設けられており、浴槽の内側から内側金具を外側金具に螺入する作業は作業者が浴槽の上方から浴槽内を覗き込むようにして行わなければならず、難しい作業を強いられる。しかも、内側金具と外側金具の螺合部は浴槽開口部の内部であることから、その作業を肉眼で確認しながら行うことはできない。
【０００６】
このため、前記特許文献１に記載された従来構成の取付用治具を使用して作業者が浴槽の内側において、内側金具を外側金具に螺入する作業を行う場合、内側金具と外側金具の軸線を合わせ、内側金具の雄ねじの先端部を外側金具の雌ねじに螺入し始める操作が難しい。加えて、内側金具の軸線が外側金具の軸線に対して傾かないように注意して内側金具の雄ねじを外側金具の雌ねじに螺入してその操作を完了することは煩わしく、作業時間を要するものであった。その場合、内側金具の軸線と外側金具の軸線が一致していないにもかかわらず、一致したと思い込んで無理に内側金具の雄ねじを外側金具の雌ねじに螺入すると、雄ねじ又は雌ねじが損傷を受けるおそれがある。
【０００７】
そこで本発明の目的とするところは、作業者が浴槽用循環具を浴槽の側壁に容易かつ的確に、しかも速やかに取付けることができる浴槽用循環具の施工治具を提供することにある。
【課題を解決するための手段】
【０００８】
上記の目的を達成するために、請求項１に係る発明の浴槽用循環具の施工治具は、浴槽の側壁の外面に取付けられる筒状の外部筒体と、側壁の内側から該側壁の取付孔を介して外部筒体に組付けられる筒状の内部筒体とを備え、前記外部筒体は往き側流路と戻り側流路を区画形成する外筒部と内筒部とを有するとともに、外筒部には雌ねじ部を有し、内部筒体には前記外部筒体の雌ねじ部に螺合される雄ねじ部を有する外筒と外部筒体の内筒部に接続される内筒とを有する浴槽用循環具を浴槽の側壁に取付けるための浴槽用循環具の施工治具であって、施工治具本体の一端部には浴槽の側壁の外側で外部筒体の内筒部に係合される係合部を設けるとともに、浴槽の側壁の内側で施工治具本体が内部筒体の外筒に挿入されたとき外筒に嵌合するガイド部を設け、前記係合部が外部筒体の内筒部に係合された状態で内部筒体の外筒が外部筒体の外筒部に螺入し続けられたとき、当該施工治具を用いた内部筒体と外部筒体との螺合領域の終点位置として内部筒体の内周面に設けられた回り止め突起と前記ガイド部とが係合することによって螺入が規制されることを特徴とする。
【０００９】
請求項２に記載の発明は、請求項１に係る発明において、施工治具本体の他端部には前記係合部が外部筒体の内筒部に係合された状態で浴槽の側壁の取付孔に係止される係止部を設けたことを特徴とする。
【００１０】
請求項３に記載の発明は、請求項１又は請求項２に係る発明において、前記ガイド部は、内部筒体の外筒が外部筒体の外筒部に挿入されたとき内部筒体の外筒の軸線方向に延びるように構成されていることを特徴とする。
【００１１】
請求項４に記載の発明は、請求項１から請求項３のいずれか一項に係る発明において、前記ガイド部は、内部筒体の外筒が外部筒体の外筒部に挿入されたとき内部筒体の外筒の軸線方向と直交する方向に延びるように構成されていることを特徴とする。
【００１２】
請求項５に記載の発明は、請求項１から請求項４のいずれか一項に係る発明において、前記施工治具は内部筒体より機械的強度の低い熱可塑性樹脂で形成されていることを特徴とする。
【００１３】
請求項６に記載の発明は、請求項１から請求項５のいずれか一項に係る発明において、前記施工治具本体は板状に形成されており、前記ガイド部は、前記回り止め突起によって外部筒体に対する内部筒体の螺入が規制された際に前記施工治具本体が周方向に回動されることによって前記回り止め突起との係合が解除されるように構成されていることを特徴とする。
【発明の効果】
【００１４】
本発明によれば、次のような効果を発揮することができる。
請求項１に係る発明浴槽用循環具の施工治具においては、外部筒体の内筒部に係合される係合部及び内部筒体の外筒に嵌合するガイド部が設けられている。このため、浴槽の側壁の外部で施工治具の係合部を外部筒体の内筒部に係合した後、その状態で側壁の内側において内部筒体を外部筒体に螺合することができる。このとき、施工治具には内部筒体の外筒に嵌合するガイド部が設けられていることから、外部筒体の外筒部に対する内部筒体の外筒の螺合がガイド部によって案内される。従って、内部筒体を外部筒体に円滑に螺進させることができる。
【００１５】
よって、本発明の浴槽用循環具の施工治具によれば、作業者が浴槽用循環具を浴槽の側壁に容易かつ的確に、しかも速やかに取付けることができるという効果を奏する。
【図面の簡単な説明】
【００１６】
【図１】実施形態における浴槽用循環具を施工治具により浴槽の側壁に取付ける状態を示す要部断面図。
【図２】（ａ）及び（ｂ）は施工治具を示す斜視図。
【図３】施工治具で外部筒体を浴槽の側壁の取付孔に係止した状態を示す要部断面図。
【図４】浴槽の内側で内部筒体を外部筒体に螺入する状態を示す要部断面図。
【図５】内部筒体を外部筒体に螺合した状態で施工治具を取り外した状態を示す断面図。
【図６】内部筒体を外部筒体に組付けて浴槽用循環具を浴槽の側壁に取付けた状態を示す断面図。
【図７】浴槽用循環具を示す分解斜視図。
【図８】浴槽用循環具を示す側面図。
【発明を実施するための形態】
【００１７】
以下、本発明を具体化した実施形態を図１〜図８に従って詳細に説明する。
まず、浴槽用循環具について説明する。図６〜図８に示すように、本実施形態の浴槽用循環具１０を構成する外部筒体１１は浴槽の側壁１２外面に配置され、その外端部には図示しない給湯器への戻り側配管１３にワンプッシュ式の継手１４を介して接続される連結筒部１５が設けられている。同じく外部筒体１１の外端部には、給湯器からの往き側配管１６にワンプッシュ式の継手１４を介して接続される接続筒部１７が設けられている。戻り側配管１３又は往き側配管１６は、ポリオレフィン（架橋ポリエチレン、ポリブテン等）などの合成樹脂により形成されている。そして、浴槽水を連結筒部１５から継手１４、戻り側配管１３を介して給湯器に送り、給湯器で加熱された加熱水（湯）を往き側配管１６から継手１４、接続筒部１７へ循環するように構成されている。
【００１８】
外部筒体１１の外筒部１８の開口端部には拡径部１９が設けられ、その拡径部１９にはゴム製のシール部材２０が被せられ、側壁１２の外面に密着されて外部筒体１１と浴槽の側壁１２との間の水密が保たれている。外部筒体１１の外筒部１８の内周面には雌ねじ部２１が刻設されるとともに、外部筒体１１内には内筒部２２が外部筒体１１の軸方向に突出形成されている。内筒部２２内の往き側流路２３は前記接続筒部１７に通じ、外筒部１８と内筒部２２との間の戻り側流路２４が連結筒部１５に通じている。
【００１９】
前記継手１４を構成する継手本体２５は外部筒体１１の連結筒部１５及び接続筒部１７に一体形成されるとともに、その基端側にはフランジが突設されている。この継手本体２５は外周筒部２６と内周筒部２７とにより構成され、これら外周筒部２６と内周筒部２７との間の差込空間２８に往き側配管１６又は戻り側配管１３が差し込まれるようになっている。前記外周筒部２６の外周にはキャップ２９が嵌合されている。該キャップ２９と外周筒部２６との間には抜け止めリング３０が保持されている。この抜け止めリング３０はステンレス鋼等の金属で形成され、差込空間２８に差し込まれた往き側配管１６又は戻り側配管１３を抜け止め保持する。
【００２０】
前記外部筒体１１、継手本体２５及びキャップ２９は、ガラス繊維強化樹脂、例えばガラス繊維強化ポリフェニレンサルファイド（ＰＰＳ）により形成され、強度向上が図られている。
【００２１】
浴槽の側壁１２の内側には内部筒体３１が配置され、浴槽の側壁１２の取付孔１２ａを通して前記外部筒体１１に組付けられている。内部筒体３１はポリフェニレンサルファイド等の合成樹脂により円筒状に形成された外筒３２の端部にフランジ部３３が突設されて構成されている。前記外筒３２の外周面には雄ねじ部３４が螺刻されている。前記フランジ部３３の外周面には被係合段部３５が環状に形成されるとともに、内部筒体３１の内周面には複数の回り止め突起３６が設けられている。この内部筒体３１はポリエチレン（ＰＥ）製のパッキン３７とゴム製のシール材３８が介装された状態で側壁１２の取付孔１２ａに挿通される。そして、内部筒体３１の雄ねじ部３４が側壁１２の外側に配置された外部筒体１１の雌ねじ部２１に螺合固定されるとともに、内部筒体３１と浴槽の側壁１２との間の水密が保たれるようになっている。
【００２２】
内部筒体３１を構成する第２内部筒体４０はポリアセタール等の合成樹脂により形成され、その中心部には内筒４１が内部筒体３１側へ延出されている。第２内部筒体４０の外周部には内部筒体３１側に延びる係合爪４３が突設され、内部筒体３１の被係合段部３５に係合され、内部筒体３１から第２内部筒体４０の抜け出しが防止されるようになっている。
【００２３】
前記第２内部筒体４０の内筒４１により、前記外部筒体１１の往き側流路２３に接続される吐出用流路４５が形成されるとともに、その周囲には外部筒体１１の戻り側流路２４に接続される吸入用流路４６が区画形成されている。これら吐出用流路４５及び吸入用流路４６は、それらの方向が第２内部筒体４０で９０度変更され、斜め下方へ延びている。流路方向が変更された吐出用流路４５及び吸入用流路４６の吐出用開口部４７には、開閉弁４８が開閉可能に支持されるとともに、該開閉弁４８を保持する弁体カバー４９が装着されている。この第２内部筒体４０において、浴槽水は一方の弁体カバー４９の吸入用開口部５０から吸入され、前記吸入用流路４６へ流れるとともに、加熱水は吐出用流路４５から開閉弁４８を通って浴槽内へ吐出されるようになっている。
【００２４】
第２内部筒体４０の外周部には、ステンレス鋼により有底円筒状に形成されたフィルターカバー５１が係合保持されるようになっている。このフィルターカバー５１の周壁には吐出孔５２が開口され、第２内部筒体４０の吐出用開口部４７に連通されている。以上のように、浴槽用循環具１０は外部筒体１１、内部筒体３１、第２内部筒体４０、フィルターカバー５１等により構成されている。
【００２５】
次に、上記のように構成された浴槽用循環具１０を浴槽の側壁１２に取付けるための施工治具について説明する。図２（ａ）、（ｂ）に示すように、施工治具６０を構成する板状をなす施工治具本体６１の一端部には外部筒体１１の内筒部２２に挿入されて係合される円筒状の係合部６２が設けられている。この係合部６２の先端部には周方向に９０度間隔で切り込まれた切込み部６３が形成され、係合部６２が拡縮可能に構成されている。施工治具本体６１の他端部には、断面コの字状をなし、浴槽の側壁１２の取付孔１２ａに係止される係止部６４が設けられている。
【００２６】
施工治具６０の中間部には、施工治具本体６１が内部筒体３１の外筒３２に挿入されたとき外筒３２に嵌合するガイド部６５が設けられ、該ガイド部６５により外筒部１８の雌ねじ部２１に対する外筒３２の雄ねじ部３４の螺入を案内するようになっている。ここで、外筒３２に嵌合するガイド部６５は、内部筒体３１の外筒３２の軸線を外部筒体１１の外筒部１８の軸線に一致させるように案内するものであり、「ガイド部６５が外筒３２に嵌合する」とはガイド部６５の端面６５ｃと外筒３２の内周面との間に若干の隙間を介して嵌まり合う遊嵌を含む概念である。
【００２７】
このガイド部６５は、内部筒体３１の外筒３２が外部筒体１１の外筒部１８に挿入されたとき内部筒体３１の外筒３２の軸線方向ｘに延びるように一定長さ、例えば内部筒体３１の外筒３２の長さに対して１／３〜１／４の長さに形成されている。さらに、ガイド部６５は、内部筒体３１の外筒３２が外部筒体１１の外筒部１８に挿入されたとき内部筒体３１の外筒３２の軸線方向ｘと直交する方向（外筒３２の直径方向）に延びるように構成されている。
【００２８】
このガイド部６５における係止部６４側の端縁６５ａ、６５ｂが断面円弧状に形成されるとともに、ガイド部６５の端面６５ｃが内部筒体３１の外筒３２の内周面に沿うように断面円弧状に形成されている。このため、施工治具６０に対する内部筒体３１の嵌挿及び内部筒体３１からの施工治具６０の抜き出しを容易かつ速やかに行うことができるようになっている。なお、施工治具本体６１の一端側の両面には一対の補強リブ６６が両側方に突設されて施工治具６０が補強されるとともに、複数の凹部６７が設けられて材料の節約が図られている。
【００２９】
以上のように構成された浴槽用循環具１０を、施工治具６０にて浴槽の側壁１２に取付ける方法を作用とともに説明する。
さて、図３に示すように、浴槽の側壁１２の外側において施工治具６０の係合部６２を外部筒体１１の内筒部２２内に嵌め込んだ状態で、施工治具６０の係止部６４を浴槽の側壁１２の取付孔１２ａに係止する。このとき、施工治具６０の係合部６２の先端部には切込み部６３が形成され、係合部６２が拡縮可能になっていることから、該係合部６２を外部筒体１１の内筒部２２内に容易に嵌入できるとともに、嵌入後には係合部６２が抜け止め保持される。また、施工治具６０の係止部６４の先端は断面コの字状をなす鉤状に形成されていることから、該係止部６４が浴槽の側壁１２の取付孔１２ａを通って側壁１２内面に係止されたとき、施工治具６０が側壁１２から外れ難い。
【００３０】
次いで、図４に示すように、浴槽の側壁１２の内側において、作業者が施工治具６０の係止部６４を把持して外部筒体１１を持ち上げ、外部筒体１１のシール部材２０が浴槽の側壁１２外面に当接するように保持した状態で、内部筒体３１の外筒３２を施工治具６０に嵌挿してその雄ねじ部３４を外部筒体１１の外筒部１８の雌ねじ部２１に螺入する。このとき、施工治具６０のガイド部６５の端縁６５ａ、６５ｂ及び端面６５ｃが断面円弧状に形成されているため、施工治具６０に内部筒体３１の外筒３２を容易に嵌挿させ始めることができる。さらに、施工治具６０のガイド部６５が内部筒体３１の外筒３２に嵌合されていることから、外部筒体１１の外筒部１８と内部筒体３１の外筒３２との軸線を一致させることができ、外筒３２の雄ねじ部３４を外筒部１８の雌ねじ部２１に円滑に、しかも迅速に螺進させることができる。
【００３１】
図１に示すように、内部筒体３１の雄ねじ部３４を外部筒体１１の雌ねじ部２１に対して螺入し続けると、施工治具６０のガイド部６５が内部筒体３１の外筒３２内周面の回り止め突起３６に係合し、外部筒体１１に対する内部筒体３１の螺入が規制される。このため、施工治具６０を周方向に回動させ、施工治具６０のガイド部６５と内部筒体３１の回り止め突起３６との係合を解除し、図５に示すように施工治具６０を内部筒体３１の外筒３２から抜き出す。
【００３２】
その後、図６に示すように、内部筒体３１のフランジ部３３がシール材３８及びパッキン３７を介して浴槽の側壁１２内面に押圧されるまで内部筒体３１の外筒３２を外部筒体１１の外筒部１８に螺入して締付ける。最後に、内部筒体３１に対して第２内部筒体４０を組付け、その第２内部筒体４０に対してフィルターカバー５１を組付けることにより、浴槽の側壁１２に対する浴槽用循環具１０の取付けを完了する。
【００３３】
その状態において、浴槽水を強制循環させると、浴槽水はフィルターカバー５１の前面から吸い込まれ、第２内部筒体４０の吸入用開口部５０から吸入用流路４６を通って外部筒体１１の連結筒部１５及び継手１４に流れ、さらに戻り側配管１３を経て給湯器に到る。給湯器で加熱された加熱水は往き側配管１６から継手１４及び外部筒体１１の接続筒部１７を介して第２内部筒体４０の吐出用流路４５、吐出用開口部４７からフィルターカバー５１の吐出孔５２を経て浴槽内へ吐出される。
【００３４】
以上の実施形態によって発揮される効果について、以下にまとめて記載する。
（１）この実施形態における浴槽用循環具１０の施工治具６０は、一端に係合部６２、他端に係止部６４を有し、さらに内部筒体３１の外筒３２に嵌合するガイド部６５を備えている。このため、浴槽の側壁１２の外部で施工治具６０の係合部６２を外部筒体１１の内筒部２２に係合した後、施工治具６０の係止部６４を側壁１２の取付孔１２ａに係止し、その状態で側壁１２の内側において内部筒体３１を外部筒体１１に螺合することができる。このとき、施工治具６０には内部筒体３１の外筒３２に嵌合するガイド部６５が設けられていることから、外部筒体１１の外筒部１８に対する内部筒体３１の外筒３２の螺合がガイド部６５によって案内される。従って、内部筒体３１を外部筒体１１に円滑に螺進させることができる。
【００３５】
よって、この実施形態の施工治具６０によれば、一人の作業者でも浴槽用循環具１０を浴槽の側壁１２に容易かつ的確に、しかも速やかに取付けることができるという効果を発揮する。
（２）前記ガイド部６５は、内部筒体３１の外筒３２が外部筒体１１の外筒部１８に挿入されたとき内部筒体３１の外筒３２の軸線方向ｘに延びるように構成されている。このため、内部筒体３１の外筒３２の雄ねじ部３４を外部筒体１１の外筒部１８の雌ねじ部２１に螺合する操作を安定した状態で速やかに行うことができる。
（３）前記ガイド部６５は、内部筒体３１の外筒３２が外部筒体１１の外筒部１８に挿入されたとき内部筒体３１の外筒３２の軸線方向ｘと直交する方向に延びるように構成されている。そのため、施工治具６０のガイド部６５が内部筒体３１の外筒３２を安定して支持することができ、外筒３２の雄ねじ部３４を外筒部１８の雌ねじ部２１に対して一層円滑に螺入させることができるとともに、内部筒体３１の外筒３２の回り止め突起３６に対するガイド部６５の係合を容易に解除することができる。
（４）前記施工治具６０はポリフェニレンサルファイドで形成された内部筒体３１より機械的強度の低い熱可塑性樹脂であるポリプロピレンで形成されている。従って、施工治具６０を使用して外部筒体１１に対し内部筒体３１を螺合するときに内部筒体３１を傷付けたり、損傷を与えたりするおそれを回避することができる。
（５）前記内部筒体３１の内周面には回り止め突起３６が設けられ、内部筒体３１を外部筒体１１に螺合するときに施工治具６０のガイド部６５が回り止め突起３６に係合するように構成されている。このため、内部筒体３１を外部筒体１１に勢いよく螺入してシール材３８やパッキン３７に損傷を与えることを抑制することができる。
【００３６】
なお、本実施形態は、次のように変更して具体化することも可能である。
・  前記施工治具６０のガイド部６５を、周方向に１２０度間隔、９０度間隔等をおいて形成することもできる。
【００３７】
・  前記施工治具６０の係合部６２に形成された切込み部６３の数を適宜増減することができる。また、この切込み部６３を省略することも可能である。切込み部６３を省略する場合には、係合部６２を先端側ほど縮径するようにテーパ状に形成することができる。
【００３８】
・  前記内部筒体３１の回り止め突起３６を省略することもできる。この場合、外部筒体１１の雌ねじ部２１に対する内部筒体３１の雄ねじ部３４の螺合を完了した後に施工治具６０を内部筒体３１内から容易に引抜くことができる。また、この場合、施工治具６０のガイド部６５を円筒状等に形成することができる。
【００３９】
・  前記施工治具６０の係止部６４を省略することも可能である。
・  二人以上の作業者が例えば浴槽の側壁１２の外側と内側で協力して、浴槽用循環具１０を前記施工治具６０により浴槽の側壁１２に取付けることもできる。
【００４０】
さらに、前記実施形態より把握される技術的思想について以下に記載する。
（イ）前記係合部は筒状に形成されるとともに、その先端部には複数の切込み部が設けられ、拡縮可能に構成されていることを特徴とする請求項１から請求項６のいずれか一項に記載の浴槽用循環具の施工治具。このように構成した場合、施工治具の係合部を外部筒体の内筒部に挿入するときに容易に挿入できるとともに、外部筒体に対する施工治具の係合状態を良好に保持することができる。
【符号の説明】
【００４１】
１０…浴槽用循環具、１１…外部筒体、１２…側壁、１２ａ…取付孔、１８…外筒部、２１…雌ねじ部、２２…内筒部、２３…往き側流路、２４…戻り側流路、３１…内部筒体、３２…外筒、３４…雄ねじ部、３６…回り止め突起、４１…内筒、６０…施工治具、６１…施工治具本体、６２…係合部、６４…係止部、６５…ガイド部、ｘ…軸線方向。
【要約】
【課題】作業者が浴槽用循環具を浴槽の側壁に容易かつ的確に、しかも速やかに取付けることができる浴槽用循環具の施工治具を提供する。
【解決手段】浴槽用循環具１０の施工治具６０を構成する施工治具本体６１の一端部には、浴槽の側壁１２の外側で外部筒体１１の内筒部２２に係合される円筒状の係合部６２が設けられている。施工治具本体６１の他端部には、前記係合部６２が外部筒体１１の内筒部２２に係合された状態で浴槽の側壁１２の取付孔１２ａに係止される係止部６４が設けられている。さらに、施工治具本体６１の中間部には、浴槽の側壁１２の内側で施工治具本体６１が内部筒体３１の外筒３２に挿入されたとき外筒３２に嵌合するガイド部６５が設けられている。
【選択図】図１【図１】
0004837793.tif 000002
【図２】
0004837793.tif 000003
【図３】
0004837793.tif 000004
【図４】
0004837793.tif 000005
【図５】
0004837793.tif 000006
【図６】
0004837793.tif 000007
【図７】
0004837793.tif 000008
【図８】
0004837793.tif 000009